(57)【要約】【課題】用紙（ロール紙）巻き上げ時の用紙両端の位置精度を向上させる。【解決手段】表裏反転ユニット４５において、ローラ６０、６１が取り付けられたベース板金６３は、取り付け金具６２に固定されている回転支軸６４に水平方向に回転可能に係合されている。被印刷媒体２１ａの巻き取り開始時に、巻き取り軸５１に巻き取られる被印刷媒体２１ａに対する巻き取り張力が不平衡となると、表裏反転ユニット４５が巻き取り張力に応じて回転して巻き取り張力を平衡化する。そして、被印刷媒体２１ａに加わる巻き取り張力が平衡化すると、表裏反転ユニット４５は、弾性部材６５によって元の位置に戻され、表裏反転ユニット４５のローラ６１と巻き取り軸５１とが略平行となる。【選択図】図２
2016150811.tif 000002
【特許請求の範囲】
【請求項１】
プリンタ本体から排出される被印刷媒体の表裏を、搬送経路の下流側に配置されている巻き取り軸側からの前記被印刷媒体への張力に基づいて反転させるローラと、
前記ローラを支持する支持部と、
を備え、
前記支持部は、前記張力の方向に応じて回転可能に構成されていることを特徴とする表裏反転ユニット。
【請求項２】
前記支持部は、該支持部の回転に必要な力をＦとし、前記張力をＦ’としたとき、Ｆ＜Ｆ’の関係になるように構成されていることを特徴とする請求項１に記載の表裏反転ユニット。
【請求項３】
前記支持部は、該支持部が所定の向きに戻るように復元力を付与する弾性部材を備えていることを特徴とする請求項１または２に記載の表裏反転ユニット。
【請求項４】
前記ローラは、プリンタ本体から排出される前記被印刷媒体を受け取る受け取り口側に配置された第一のローラと、前記被印刷媒体を前記巻き取り軸側に向けて送り出す送り出し側に配置された第二のローラとを備え、
前記第一のローラと前記第二のローラは、互いの軸が平行となるように配置されていることを特徴とする請求項１乃至３のいずれか一項に記載の表裏反転ユニット。
【請求項５】
前記支持部は、前記巻き取り軸が前記被印刷媒体を巻き取る際の、前記被印刷媒体の搬送方向に対する幅方向両端の巻き取り張力の差に応じて回転されることを特徴とする請求項１乃至４のいずれか一項に記載の表裏反転ユニット。
【請求項６】
プリンタ本体から排出される被印刷媒体の搬送方向を、搬送経路の下流側に配置されている巻き取り軸方向へ変更させるローラと、
前記ローラを支持する支持部と、
を備え、
前記支持部は、前記巻き取り軸側からの前記被印刷媒体への張力の方向に応じて回転可能に構成されていることを特徴とする巻き取りずれ防止ユニット。
【請求項７】
前記支持部は、該支持部が所定の向きに戻るように復元力を付与する弾性部材を備えていることを特徴とする請求項６に記載の巻き取りずれ防止ユニット。
【請求項８】
前記ローラは、プリンタ本体から排出される被印刷媒体を受け取る受け取り口側に配置された第一のローラと、被印刷媒体を前記巻き取り軸側に向けて送り出す送り出し側に配置された第二のローラとを備え、
前記第一のローラと前記第二のローラは、互いの軸が平行となるように配置されていることを特徴とする請求項６または７に記載の巻き取りずれ防止ユニット。
【請求項９】
前記支持部は、前記巻き取り軸が被印刷媒体を巻き取る際の、被印刷媒体の搬送方向に対する幅方向両端の巻き取り張力の差に応じて回転されることを特徴とする請求項６乃至８のいずれか一項に記載の巻き取りずれ防止ユニット。
【請求項１０】
請求項１乃至５のいずれか一項に記載の表裏反転ユニットがプリンタ本体に設置されたことを特徴とする画像形成装置。
【請求項１１】
請求項６乃至９のいずれか一項に記載の巻き取りずれ防止ユニットがプリンタ本体に設置されたことを特徴とする画像形成装置。
【請求項１２】
プリンタ本体から排出される被印刷媒体の搬送方向を、搬送経路の下流側に配置されている巻き取り軸方向へ変更させるローラを支持する支持部を、前記巻き取り軸側からの前記被印刷媒体への張力の方向に応じて回動させることで、前記巻き取り軸に対する前記被印刷媒体の巻き取りずれを防止する、
ことを特徴とする巻き取りずれ防止方法。
【発明の詳細な説明】
【技術分野】
【０００１】
本発明は、表裏反転ユニット、巻き取りずれ防止ユニット、巻き取りずれ防止方法及び画像形成装置に関する。
【背景技術】
【０００２】
従来、電子写真式の画像形成装置がある。この画像形成装置は、一般に現像装置の感光体ドラムを一様に帯電させて初期化し、この感光体ドラムに光書込みによって潜像を形成し、この潜像をトナー像化（現像）して、そのトナー像を直接又は間接に被印刷媒体に転写して定着器で定着させる。
【０００３】
上記画像形成装置において、印刷後の用紙（ロール紙）を巻き取る場合、フェイスダウン方式で排出された用紙（ロール紙）を、プリンタの用紙排出下流に設置されている表裏反転ユニットによって反転させてフェイスアップで排出した後、排出された用紙の先端をリワインダの巻き取り軸に一旦貼り付けた後、巻き取り動作を開始する。
【０００４】
しかしながら、ロール紙を巻き取る際に、両端を揃えて緩みなく巻き上げることは困難であり、両端を揃えて巻き上げる方法が提案されている。例えば、特許文献１では、段差ローラ（テンションローラ）を用い、巻き上げの前にローラの自重により用紙に弛みを形成させ、弛みがなくなる前に巻き上げを一旦停止させ再度弛み形成を行うことを繰り返すことで、巻き上げを行う技術が提案されている。
【先行技術文献】
【特許文献】
【０００５】
【特許文献１】特開２００８−０７４０５１号公報
【発明の概要】
【発明が解決しようとする課題】
【０００６】
しかしながら、特許文献１では、比較的容易に構成できるが、弛みを常時形成するためのセンサや、段差ローラを設けるためのスペースが必要となるという問題がある。また、巻き上げの精度（両端揃え）を保ち、緩みない巻き上げを形成するには各々の位置精度等に影響され易いという問題がある。
【０００７】
上記特許文献１の技術以外にも他の従来技術として、例えば、用紙の幅に合わせ巻き取り軸に用紙幅に合わせたつば（ガイド）を配置させ、巻き取り軸の回転に合わせて回転することで、ガイド間に用紙を収納していく技術がある。しかしながら、当該従来技術では、異なる用紙の幅では、つばの位置を移動させる必要があり、構成が複雑となるという問題がある。また、用紙位置が巻き取り軸に対して精度良く送られてこない状態では、無理にガイド間に収納されることで用紙の端部にダメージが生じるという問題がある。更に、ラベル等で粘着部を含む場合には、台紙の糊付着による障害が発生するという問題がある。
【０００８】
また、他の従来技術としては、例えば、巻き上げる上流位置に用紙幅に合わせた固定ガイドを設け、用紙をこの間に通すことで、位置決めを行い、巻き上げ軸に巻き上げる方法がある。しかしながら、当該従来技術では、オペレータが用紙幅にガイドを合わせるところでばらつきが生じるという問題がある。また、用紙の位置精度により巻き上げ軸に対して斜めに送られてきた場合には、ガイドにて位置を維持することができず、安定した巻き取りができないという問題がある。
【０００９】
また、他の従来技術としては、例えば、巻き上げ軸にアクチエータを配置し、巻き上げる前に用紙の端部を位置センサ等で検出し、巻き上げ軸を用紙端部を揃えるように制御することで、安定した巻き取りを行う技術がある。しかしながら、当該従来技術では、ロール状に用紙を巻き上げる過程で、ロール径が変化していくため、これに対応するためのセンサ配置、センサの種類、構造等が複雑になり、コストも極めて高くなるという問題がある。
【００１０】
そこで本発明は、用紙（ロール紙）巻き上げ時の用紙両端の位置精度を向上させることを目的とする。
【課題を解決するための手段】
【００１１】
この発明に係る表裏反転ユニットは、プリンタ本体から排出される被印刷媒体の表裏を、搬送経路の下流側に配置されている巻き取り軸側からの前記被印刷媒体への張力に基づいて反転させるローラと、前記ローラを支持する支持部と、を備え、前記支持部は、前記張力の方向に応じて回転可能に構成されていることを特徴とする。
【００１２】
この発明に係る巻き取りずれ防止ユニットは、プリンタ本体から排出される被印刷媒体の搬送方向を、搬送経路の下流側に配置されている巻き取り軸方向へ変更させるローラと、前記ローラを支持する支持部と、を備え、前記支持部は、前記巻き取り軸側からの前記被印刷媒体への張力の方向に応じて回転可能に構成されていることを特徴とする。
【００１３】
この発明に係る巻き取りずれ防止方法は、プリンタ本体から排出される被印刷媒体の搬送方向を、搬送経路の下流側に配置されている巻き取り軸方向へ変更させるローラを支持する支持部を、前記巻き取り軸側からの前記被印刷媒体への張力の方向に応じて回動させることで、前記巻き取り軸に対する前記被印刷媒体の巻き取りずれを防止する、ことを特徴とする。
【００１４】
この発明に係る画像形成装置は、上記表裏反転ユニットがプリンタ本体に設置されたことを特徴とする。
【００１５】
この発明に係る画像形成装置は、上記巻き取りずれ防止ユニットがプリンタ本体に設置されたことを特徴とする。
【００１６】
この発明によれば、用紙（ロール紙）巻き上げ時の用紙両端の位置精度を向上させることができる。
【図面の簡単な説明】
【００１７】
【図１】本発明の実施形態による、連続紙、例えばロール状の用紙（以下、ロール紙という）あるいは平判の用紙（以下、平判紙という）をプリントするための画像形成装置１０の全体構成を示す概念図である。
【図２】本実施形態による画像形成装置１０の構成を示す斜視図である。
【図３】本実施形態の画像形成装置１０の構成を示す上面図である。
【図４】本実施形態による画像形成装置１０の表裏反転ユニット（巻き取りずれ防止ユニット）の構成を示す斜視図である。
【図５】本実施形態による画像形成装置１０の表裏反転ユニット（巻き取りずれ防止ユニット）の構成を示す図である。
【図６】本実施形態による画像形成装置１０の表裏反転ユニット（巻き取りずれ防止ユニット）の構成を示す図である。
【発明を実施するための形態】
【００１８】
以下、本発明の実施の形態を、図面を参照して説明する。
【００１９】
図１は、本発明の実施形態による、連続紙、例えばロール状の用紙（以下、ロール紙という）あるいは平判の用紙（以下、平判紙という）をプリントするための画像形成装置１０の全体概念図である。なお、以下では、ロール紙及び平判紙を被印刷媒体２１ａとして説明する。図において、画像形成装置１０は、ロール紙供給部２０、プリンタ本体３０、及びロール紙巻取部５０から構成されている。ロール紙供給部２０は、プリンタ本体３０の下部に設置されており、給紙ロール２１が設置されている。給紙ロール２１から引き出されたロール紙である被印刷媒体２１ａは、ここから上部に位置するプリンタ本体３０に供給される。
【００２０】
給紙ローラ２２は、プリンタ本体３０へ被印刷媒体２１ａが入る前に、被印刷媒体２１ａの端部位置を固定化する。用紙先端部検知部２３は、プリンタ本体３０に供給される被印刷媒体２１ａの先端部を検知する。用紙端部検知部２４は、プリンタ本体３０に供給される被印刷媒体２１ａの端部（用紙搬送方向に対する横方向の端部）を検知する。
【００２１】
プリンタ本体３０は、電子写真式で二次転写方式のタンデム型のカラー画像形成装置であり、ドラム・現像装置３１、転写ベルト装置３２、トナーカートリッジ３３、電装部３４、給紙部３５、及び定着装置３６などから構成されている。
【００２２】
転写ベルト装置３２を挟んで上部にトナーカートリッジ３３が配置され、転写ベルト装置３２を挟んだ略直下にドラム・現像装置３１（以下、現像装置３１という）が配置されている。転写ベルト装置３２は、中間転写ベルト３７と、駆動ローラ３８と、従動ローラ３９とを含む。現像装置３１は、転写ベルト装置３２の中間転写ベルト３７の下部走行面に接して同図の右から左へ４つの現像装置３１ｋ、３１ｃ、３１ｍ、３１ｙを多段式に並設して構成される。
【００２３】
この現像装置３１ｋ、３１ｃ、３１ｍ、３１ｙには、４つのトナーカートリッジ３３から、同図にＫ、Ｃ、Ｍ、Ｙで示すブラック（Ｋ）、シアン（Ｃ）、マゼンタ（Ｍ）、イエロー（Ｙ）のトナーがそれぞれ供給される。
【００２４】
トナーカートリッジ３３は、中間転写ベルト３７の上部走行面の上方に配置されている４つで構成される。４つのトナーカートリッジには、それぞれブラック（Ｋ）、シアン（Ｃ）、マゼンタ（Ｍ）、イエロー（Ｙ）の補給用トナーが収容されている。トナーカートリッジ３３と現像装置３１間にはトナー縦搬送経路４０が各々配置され、トナーカートリッジ３３から定量のトナーが現像装置３１内に搬送される。
【００２５】
現像装置３１ｋ、３１ｃ、３１ｍ、３１ｙのうち、上流側（図の左側）の３つの現像装置３１ｃ、３１ｍ及び３１ｙは、それぞれ減法混色の三原色であるシアン（Ｃ）、マゼンタ（Ｍ）、イエロー（Ｙ）の色トナーによるカラー画像を中間転写ベルト３７上に形成し、現像装置３１ｋは、主として文字や画像の暗黒部分等に用いられるブラック（Ｋ）の色トナーによるモノクロ画像を中間転写ベルト３７上に形成する。
【００２６】
転写ベルト装置３２は、プリンタ本体３０のほぼ中央で図の左右方向に扁平なループ状になって延在する無端状の上述した中間転写ベルト３７と、この中間転写ベルト３７を掛け渡されて中間転写ベルト３７を図の反時計回り方向に循環移動させる駆動ローラ３８と従動ローラ３９を備えている。
【００２７】
転写ベルト装置３２は、更に、駆動ローラ３８の上方で中間転写ベルト３７を掛け渡されている二次転写バックアップローラ４１を備えている。二次転写バックアップローラ４１には、中間転写ベルト３７を介して二次転写ローラ４２が圧接されている。
【００２８】
プリンタ本体３０を搬送される被印刷媒体２１ａは、二次転写バックアップローラ４１と二次転写ローラ４２との間を搬送される際に、中間転写ベルト３７に圧接される。これによって、被印刷媒体２１ａであるロール紙には、中間転写ベルト３７に形成された、シアン（Ｃ）、マゼンタ（Ｍ）、イエロー（Ｙ）の色トナーによるモノカラー画像とブラック（Ｋ）トナーによるモノクロ画像とが順次転写され、定着装置３６に供給される。
【００２９】
また、給紙部３５は、平判紙を載置した給紙カセットを備えている。給紙カセットの平判紙（封筒のような袋状の用紙を含む）は、給送ローラ４４を介して、ロール紙と同様に、上方の二次転写バックアップローラ４１及び二次転写ローラ４２に搬送される。その後、平判紙からなる被印刷媒体２１ａには、中間転写ベルト３７に形成された、シアン（Ｃ）、マゼンタ（Ｍ）、イエロー（Ｙ）の色トナーによるモノカラー画像とブラック（Ｋ）トナーによるモノクロ画像とが順次転写され、定着装置３６に供給される。
【００３０】
定着装置３６は、ロール紙又は平判紙からなる被印刷媒体２１ａに転写されたトナー像を定着させる。定着装置３６から搬出されたロール紙は、不図示の搬送ロール対、表裏反転ユニット４５（巻き取りずれ防止ユニット）を経由して、ロール紙巻取部５０に設置されている巻き取り軸５１に巻き取られる。一方、定着装置３６から搬出された平判紙は、不図示の搬送ロール対を介して、装置上面に載置する排紙トレー４６にフェイスダウンで排出される。
【００３１】
図２（ａ）、（ｂ）は、本実施形態による画像形成装置１０の外観を示す斜視図である。図２（ａ）には、ロール紙からなる被印刷媒体２１ａが排出される前の状態が示されており、図２（ｂ）には、排出されたロール紙からなる被印刷媒体２１ａが表裏反転ユニット４５を介して巻き取り軸５１に巻き取られる状態が示されている。
【００３２】
印刷動作に先だって、巻き取り軸５１へのロール紙である被印刷媒体２１ａのセットが行われる。ロール紙である被印刷媒体２１ａは、ロール紙供給部２０の給紙ロール２１から引き出され、プリンタ本体３０に供給され、図１に示す搬送経路を辿ってプリンタ本体３０の排出口から排出される。プリンタ本体３０から排出された被印刷媒体２１ａは、さらに、表裏反転ユニット４５を介して反転（フェイスアップ）され、ロール紙巻取部５０側に排出される。
【００３３】
オペレータは、表裏反転ユニット４５から排出される被印刷媒体２１ａの先端部を下流側の巻き取り軸５１に手作業で固定する。巻き取り軸５１への被印刷媒体２１ａのセットは、プリンタ本体３０から送り出される被印刷媒体２１ａの先端を通常テープ等で巻き取り軸５１に張り付けるが、動作中に貼り付ける場合、もしくは一旦用紙搬送を停止させ、被印刷媒体２１ａの先端を貼り付け後、巻き取りを開始する場合もある。
【００３４】
ロール紙巻取部５０は、巻き取り軸５１を回転させる駆動部を有しており、巻き取り軸５１に巻き取られる被印刷媒体２１ａは適度な張力をもって巻き取られる。したがって、プリンタ本体３０から排出される被印刷媒体２１ａを無理に引っ張り上げる設定とならないように、ロール紙巻取部５０の駆動部にクラッチ機構を設けることにより、適正な張力で常に巻き取るように設定されている。
【００３５】
巻き取り軸５１への被印刷媒体２１ａの先端を貼り付ける作業は、オペレータによる手作業であるため、被印刷媒体２１ａを真っ直ぐ貼り付けられないなど、貼り付け精度が悪くなることがある。この場合、巻き取り軸５１に巻き取られる被印刷媒体２１ａに加わる張力が左右（用紙幅方向）で不均一（不平衡）となり、被印刷媒体２１ａが斜めに巻き取られることになる。
【００３６】
本実施形態では、上記課題を考慮し、常に安定した巻き取り状態を確保できる手段を提供する。具体的には、表裏反転ユニット４５のプリンタ本体３０への取り付けを固定せず、巻き取り軸５１に巻き取られる被印刷媒体２１ａの張力に応じて、プリンタ本体３０への取り付け位置を中心に回転可能な構成とする。このように、表裏反転ユニット４５を回転可能な構成とすることにより、巻き取り軸５１の回転開始と同時に発生する張力が被印刷媒体２１ａの左右（用紙幅方向）で不均一（不平衡）となることを防ぐようになっている。また、被印刷媒体２１ａの左右（用紙幅方向）に加わる張力が平衡すると、表裏反転ユニット４５（巻き取り軸５１に対向するローラ６１（後述）を含む）は、巻き取り軸５１に対して略平行位置に自動的に戻るようになっている。この結果、表裏反転ユニット４５のローラ６１（後述）と巻き取り軸５１とは、被印刷媒体２１ａの左右（用紙幅方向）に加わる張力が不均一（不平衡）となっても、常に平行度を保つように自動的に調整されることになる。
【００３７】
図３は、本実施形態による画像形成装置１０の表裏反転ユニット４５の構造を示す上面図である。表裏反転ユニット４５は、上流側のローラ６０と下流側のローラ６１を備えている。ローラ６０、６１は、互いの軸が平行となるように配置されベース板金６３に取り付けられている。表裏反転ユニット４５は、ベース板金６３を介して、プリンタ本体３０に固定された取り付け金具６２に回転可能に係合されている。
【００３８】
図４は、本実施形態による画像形成装置１０の表裏反転ユニット４５（取り付け金具６２を含む）の構造を示す斜視図である。図５（ａ）は、表裏反転ユニット４５（取り付け金具６２を含む）の構造を示す上面図（図４を上面から見た図）である。図４及び図５（ａ）では、ローラ６０と対向して用紙反転をガイドするガイド及び弾性部材６５を保護（目隠し）するカバーを省略して示している。図５（ｂ）は、図５（ａ）からローラ６０、６１とローラ６０、６１を支持するサイドプレート６３−１、６３−２を外した状態の上面図である。
【００３９】
ローラ６０は、プリンタ本体３０から排出された被印刷媒体２１ａを反転させる。ローラ６１は、反転された被印刷媒体２１ａをロール紙巻取部５０側に排出されるよう搬送方向を変える。表裏反転ユニット４５のベース板金６３には、ローラ６０、６１を支持するサイドプレート６３−１、６３−２が固定されている。ベース板金６３は、取り付け金具６２に固定されている回転支軸６４に水平方向に回転可能に係合されている。取り付け金具６２は、プリンタ本体３０に固定されている。取り付け金具６２とベース板金６３とは、回転支軸６４においてスペーサ（間座）を介して０．５ｍｍ程度の空隙をもって係合されている。即ち、表裏反転ユニット４５は、ベース板金６３にローラ６０、６１を支持するサイドプレート６３−１、６３−２が固定され、回転支軸６４に回転可能に係合されているローラ６０、６１の支持部を含む。
【００４０】
このように、ベース板金６３を、回転支軸６４を介して、取り付け金具６２に水平方向に回転可能に固定することにより、表裏反転ユニット４５は、巻き取り張力の発生方向に対して倣う方向に回動が可能となる。また、取り付け金具６２とベース板金６３とは、弾性部材６５によって係合されている。弾性部材６５は、例えば、スプリングや、ゴムなどの復元力を有する部材からなり、回転支軸６４で回転したベース板金６３を、元に位置に戻そうとする力を与えるようになっている。ここで、元の位置とは、水平方向に回転した当該表裏反転ユニットを、ローラ６１と巻き取り軸５１とが平行となる位置である。
【００４１】
したがって、巻き取り軸５１で巻き取られる被印刷媒体２１ａの斜行がなくなり、巻き取り張力がなくなった時点で、ベース板金６３は概略元の位置に戻される。これらの動きは、巻き取り開始時の張力発生時であり、巻き取り時の張力は、表裏反転ユニット４５を回動する力以上である必要がある。すなわち、表裏反転ユニット４５の上記回転に必要な力をＦとし、巻き取り軸５１の巻き取り方向の力をＦ’としたとき、Ｆ＜Ｆ’の関係となる必要がある。
【００４２】
図６は、本実施形態による画像形成装置１０での被印刷媒体２１ａ（ロール紙）の巻き取り動作を示す概念図である。印刷動作に先だって、ロール紙である被印刷媒体２１ａは、ロール紙供給部２０の給紙ロール２１から引き出され、プリンタ本体３０に供給され、図１に示す搬送経路を辿ってプリンタ本体３０の排出口から排出される。プリンタ本体３０から排出された被印刷媒体２１ａは、さらに、表裏反転ユニット４５を介して反転（フェイスアップ）され、ロール紙巻取部５０側に排出される。
【００４３】
オペレータは、表裏反転ユニット４５から排出される被印刷媒体２１ａの先端部を下流側の巻き取り軸５１に手作業でテープ等で固定する。このとき、オペレータによる手作業であるため、被印刷媒体２１ａが巻き取り軸５１に斜めに貼り付けられると、被印刷媒体２１ａが斜めに巻き取られる。例えば、図６（ａ）に示すように、被印刷媒体２１ａの上側の巻き取り張力が大となると、ローラ６０、６１を備えた表裏反転ユニット４５が、回転支軸６４を介して時計回りに回転することになる。
【００４４】
表裏反転ユニット４５が時計回りに回転することで、被印刷媒体２１ａに加わる巻き取り張力が平衡化（均等化）する。そして、被印刷媒体２１ａに加わる巻き取り張力が平衡化すると、表裏反転ユニット４５は、弾性部材６５によって、元の位置に戻される。すなわち、表裏反転ユニット４５のローラ６１と巻き取り軸５１とが略平行となり、被印刷媒体２１ａは、以後、斜行することなく、巻き取り軸５１に巻き取られることになる。
【００４５】
一方、図６（ｂ）に示すように、被印刷媒体２１ａの下側の巻き取り張力が大となると、ローラ６０、６１を備えた表裏反転ユニット４５が、回転支軸６４を介して反時計回りに回転することになる。表裏反転ユニット４５が反時計回りに回転することで巻き取り張力が平衡化（均等化）する。そして、被印刷媒体２１ａに加わる巻き取り張力が平衡化すると、表裏反転ユニット４５は、弾性部材６５によって、元の位置に戻される。すなわち、表裏反転ユニット４５のローラ６１と巻き取り軸５１とが略平行となり、被印刷媒体２１ａは、以後、斜行することなく、巻き取り軸５１に巻き取られることになる。
【００４６】
上述した実施形態によれば、フェイスダウン排出をフェイスアップに変更する表裏反転ユニット４５を有する画像形成装置１０において、表裏反転ユニット４５をプリンタ本体３０と回転可能に係合するようにしたので、被印刷媒体２１ａの巻き取り開始時に、巻き取り軸５１に巻き取られる被印刷媒体２１ａに対する巻き取り張力が不平衡となった場合でも、表裏反転ユニット４５が巻き取り張力に応じて回転することで巻き取り張力を平衡化し、巻き取り軸５１への巻き取り精度を向上させることができる。また、用紙幅を規制するガイドが不要になるので、端部粘着層があるラベル紙などの場合であっても、ガイドに常時接触することから生じる接着剤付着による障害を解消することができる。
【００４７】
また、上述した実施形態によれば、巻き取り張力を平衡化した場合、表裏反転ユニットのローラ６１と巻き取り軸５１とが平行になるように、弾性部材６５によって表裏反転ユニット４５を元の位置に戻すようにしたので、巻き取り軸５１への巻き取りが位置精度に係らず、被印刷媒体２１ａの用紙幅方向の端部が揃った状態で安定して巻き取ることができる。
【００４８】
また、上述した実施形態によれば、表裏反転ユニット４５の上記回転に必要な力をＦとし、巻き取り軸５１の巻き取り方向の力をＦ’としたとき、Ｆ＜Ｆ’の関係となるようにしたので、巻き取り時に緩みない巻き取りが可能となる。
【００４９】
なお、上述実施形態においては、表裏反転ユニット４５は、プリンタ本体３０に固定された取り付け金具６２に回転可能に係合されているとしたが、取り付け金具６２を介さずに直接プリンタ本体３０に回転可能に係合されるとしてもよい。
【００５０】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００５１】
（付記１）
付記１に記載の発明は、プリンタ本体から排出される被印刷媒体の表裏を、搬送経路の下流側に配置されている巻き取り軸側からの前記被印刷媒体への張力に基づいて反転させるローラと、
前記ローラを支持する支持部と、
を備え、
前記支持部は、前記張力の方向に応じて回転可能に構成されていることを特徴とする表裏反転ユニットである。
【００５２】
（付記２）
付記２に記載の発明は、前記支持部は、該支持部の回転に必要な力をＦとし、前記張力をＦ’としたとき、Ｆ＜Ｆ’の関係になるように構成されていることを特徴とする付記１に記載の表裏反転ユニットである。
【００５３】
（付記３）
付記３に記載の発明は、前記支持部は、該支持部が所定の向きに戻るように復元力を付与する弾性部材を備えていることを特徴とする付記１または２に記載の表裏反転ユニットである。
【００５４】
（付記４）
付記４に記載の発明は、前記ローラは、プリンタ本体から排出される前記被印刷媒体を受け取る受け取り口側に配置された第一のローラと、前記被印刷媒体を前記巻き取り軸側に向けて送り出す送り出し側に配置された第二のローラとを備え、
前記第一のローラと前記第二のローラは、互いの軸が平行となるように配置されていることを特徴とする付記１乃至３のいずれか一つに記載の表裏反転ユニットである。
【００５５】
（付記５）
付記５に記載の発明は、前記支持部は、前記巻き取り軸が前記被印刷媒体を巻き取る際の、前記被印刷媒体の搬送方向に対する幅方向両端の巻き取り張力の差に応じて回転されることを特徴とする付記１乃至４のいずれか一つに記載の表裏反転ユニットである。
【００５６】
（付記６）
付記６に記載の発明は、プリンタ本体から排出される被印刷媒体の搬送方向を、搬送経路の下流側に配置されている巻き取り軸方向へ変更させるローラと、
前記ローラを支持する支持部と、
を備え、
前記支持部は、前記巻き取り軸側からの前記被印刷媒体への張力の方向に応じて回転可能に構成されていることを特徴とする巻き取りずれ防止ユニットである。
【００５７】
（付記７）
付記７に記載の発明は、前記支持部は、該支持部が所定の向きに戻るように復元力を付与する弾性部材を備えていることを特徴とする付記６に記載の巻き取りずれ防止ユニットである。
【００５８】
（付記８）
付記８に記載の発明は、前記ローラは、プリンタ本体から排出される被印刷媒体を受け取る受け取り口側に配置された第一のローラと、被印刷媒体を前記巻き取り軸側に向けて送り出す送り出し側に配置された第二のローラとを備え、
前記第一のローラと前記第二のローラは、互いの軸が平行となるように配置されていることを特徴とする付記６または７に記載の巻き取りずれ防止ユニットである。
【００５９】
（付記９）
付記９に記載の発明は、前記支持部は、前記巻き取り軸が被印刷媒体を巻き取る際の、被印刷媒体の搬送方向に対する幅方向両端の巻き取り張力の差に応じて回転されることを特徴とする付記６乃至８のいずれか一つに記載の巻き取りずれ防止ユニットである。
【００６０】
（付記１０）
付記１０に記載の発明は、付記１乃至５のいずれか一つに記載の表裏反転ユニットがプリンタ本体に設置されたことを特徴とする画像形成装置である。
【００６１】
（付記１１）
付記１１に記載の発明は、付記６乃至９のいずれか一つに記載の巻き取りずれ防止ユニットがプリンタ本体に設置されたことを特徴とする画像形成装置である。
【００６２】
（付記１２）
付記１２に記載の発明は、プリンタ本体から排出される被印刷媒体の搬送方向を、搬送経路の下流側に配置されている巻き取り軸方向へ変更させるローラを支持する支持部を、前記巻き取り軸側からの前記被印刷媒体への張力の方向に応じて回動させることで、前記巻き取り軸に対する前記被印刷媒体の巻き取りずれを防止する、
ことを特徴とする巻き取りずれ防止方法である。
【符号の説明】
【００６３】
１０  画像形成装置
２０  ロール紙供給部
２１  給紙ロール
２１ａ  被印刷媒体
２２  給紙ローラ
２３  用紙先端部検知部
２４  用紙端部検知部
３０  プリンタ本体
３１  ドラム・現像装置
３２  転写ベルト装置
３３  トナーカートリッジ
３４  電装部
３５  給紙部
３６  定着装置
３７  中間転写ベルト
３８  駆動ローラ
３９  従動ローラ
４０  トナー縦搬送経路
４１  二次転写バックアップローラ
４２  二次転写ローラ
４４  給送ローラ
４５  表裏反転ユニット（巻き取りずれ防止ユニット）
４６  排紙トレー
５０  ロール紙巻取部
５１  巻き取り軸
６０、６１  ローラ
６２  取り付け金具
６３  ベース板金
６４  回転支軸
６５  弾性部材
【図１】
2016150811.tif 000003
【図２】
2016150811.tif 000004
【図３】
2016150811.tif 000005
【図４】
2016150811.tif 000006
【図５】
2016150811.tif 000007
【図６】
2016150811.tif 000008